(57)【要約】      （修正有）【課題】より簡便に清浄な水質を維持できるホタルの飼育装置を提供する。【解決手段】水槽部２と、水及びホタルを収容するホタル収容部３と、水供給部５と、水排出部４と、を備えるホタルの飼育装置１であって、前記ホタル収容部の少なくとも一部は、前記水槽部の内部かつ上方に位置し、前記水供給部は、前記水槽部に入れられる水を吸引するポンプ部と、吸引された前記水を濾過する濾過部５２と、濾過された前記水を前記ホタル収容部の内部に流入させる第１の通水管５１と、を備え、前記水排出部は、前記ホタル収容部に設けられ、かつ、前記ホタル収容部における所定水面以上のオーバーフロー水を重力によって前記水槽部へ排出する第２の通水管４１を備え、前記水槽部から、前記水供給部、前記ホタル収容部、前記水排出部をこの順に経て、前記水槽部へ水が循環されるように構成されている。【選択図】図１
2020130148.tif 000002
【特許請求の範囲】
【請求項１】
水槽部と、水及びホタルを収容するホタル収容部と、水供給部と、水排出部と、を備えるホタルの飼育装置であって、
前記ホタル収容部の少なくとも一部は、前記水槽部の内部かつ上方に位置し、
前記水供給部は、前記水槽部に入れられる水を吸引するポンプ部と、吸引された前記水を濾過する濾過部と、濾過された前記水を前記ホタル収容部の内部に流入させる第１の通水管と、を備え、
前記水排出部は、前記ホタル収容部に設けられ、かつ、前記ホタル収容部における所定水面以上のオーバーフロー水を重力によって前記水槽部へ排出する第２の通水管を備え、
前記水槽部から、前記水供給部、前記ホタル収容部、前記水排出部をこの順に経て、前記水槽部へ水が循環されるように構成されている、飼育装置。
【請求項２】
前記ホタル収容部の側面に開口部が形成されており、前記第２の通水管が前記開口部を貫通している、請求項１に記載の飼育装置。
【請求項３】
前記第２の通水管は断面円形のＬ字型の中空材であり、
前記開口部は前記断面円形と略同径であり、
前記第２の通水管は前記開口部内で回転可能な状態で貫通している、請求項２に記載の飼育装置。
【請求項４】
前記ホタル収容部は、前記水槽部の内部に設けられた支持体上に載せられている、請求項１から３のいずれかに記載の飼育装置。
【発明の詳細な説明】
【技術分野】
【０００１】
本発明は、ホタルの飼育装置に関する。
【背景技術】
【０００２】
近年、教育現場における教育の一環として、一般の教育機関（小学校、中学校、高等学校等）の教室内等で昆虫を飼育し観察を実施することがある。このような昆虫としては、ホタル等が挙げられる。
【０００３】
ホタルの生育に際しては、清浄な水質の維持や餌の確保が必要である。ホタルの主要な餌としてはカワニナ等の稚貝が挙げられる。他方、稚貝の捕食のために、ホタルはエネルギーを消費して、逃げ回る稚貝を追跡する必要がある。過度なエネルギー消費はホタル（特に、幼虫）を死に至らしめてしまう。そのため、通常は、飼育装置内に、捕食が容易となるよう、多めに稚貝が投入される。しかし、その結果、食べ残された稚貝や排泄物等によって飼育装置内の水質は汚染されやすくなる。
【０００４】
特許文献１では、水の浄化性等に優れるホタルの飼育装置を提供することを目的として、複数の多孔体で水槽の底部に層状に形成された多孔体層等を備えるホタルの飼育装置が提案されている。
【先行技術文献】
【特許文献】
【０００５】
【特許文献１】特開２００３−２６５０７１号公報
【発明の概要】
【発明が解決しようとする課題】
【０００６】
しかし、より簡便に清浄な水質を維持できるホタルの飼育装置に対するニーズがある。
【０００７】
本発明は、上記の事情を鑑みて完成されたものであり、より簡便に清浄な水質を維持できるホタルの飼育装置を提供することを目的とする。
【課題を解決するための手段】
【０００８】
本発明者らは、水槽部と、ホタル収容部と、水供給部と、水排出部と、を備える所定の飼育装置によれば上記課題を解決できる点を見出し、本発明を完成するに至った。より具体的には、本発明は、以下のようなものを提供する。
【０００９】
（１）  水槽部と、水及びホタルを収容するホタル収容部と、水供給部と、水排出部と、を備えるホタルの飼育装置であって、
前記ホタル収容部の少なくとも一部は、前記水槽部の内部かつ上方に位置し、
前記水供給部は、前記水槽部に入れられる水を吸引するポンプ部と、吸引された前記水を濾過する濾過部と、濾過された前記水を前記ホタル収容部の内部に流入させる第１の通水管と、を備え、
前記水排出部は、前記ホタル収容部に設けられ、かつ、前記ホタル収容部における所定水面以上のオーバーフロー水を重力によって前記水槽部へ排出する第２の通水管を備え、
前記水槽部から、前記水供給部、前記ホタル収容部、前記水排出部をこの順に経て、前記水槽部へ水が循環されるように構成されている、飼育装置。
【００１０】
（２）  前記ホタル収容部の側面に開口部が形成されており、前記第２の通水管が前記開口部を貫通している、（１）に記載の飼育装置。
【００１１】
（３）  前記第２の通水管は断面円形のＬ字型の中空材であり、
前記開口部は前記断面円形と略同径であり、
前記第２の通水管は前記開口部内で回転可能な状態で貫通している、（２）に記載の飼育装置。
【００１２】
（４）  前記ホタル収容部は、前記水槽部の内部に設けられた支持体上に載せられている、（１）から（３）のいずれかに記載の飼育装置。
【発明の効果】
【００１３】
本発明によれば、より簡便に清浄な水質を維持できるホタルの飼育装置を提供することができる。
【図面の簡単な説明】
【００１４】
【図１】本発明の飼育装置における一態様の概要を示す模式図である。
【図２】本発明の飼育装置における一態様を示す図である。
【図３】本発明の飼育装置における一態様において水槽部を除いた状態を示す図である。
【発明を実施するための形態】
【００１５】
以下、本発明の実施形態について説明するが、本発明はこれに限定されるものではない。
【００１６】
＜ホタルの飼育装置の作用＞
本発明のホタルの飼育装置（以下、「本発明の飼育装置」ともいう。）の作用について、以下、図面を適宜参照して詳述する。
【００１７】
本発明の飼育装置は、水槽部と、水及びホタルを収容するホタル収容部と、水供給部と、水排出部と、を少なくとも備え、以下の要件を全て満たす。
（要件１）ホタル収容部の少なくとも一部は、水槽部の内部かつ上方に位置する。
（要件２）水供給部は、水槽部に入れられる水を吸引するポンプ部と、吸引された水を濾過する濾過部と、濾過された水をホタル収容部の内部に流入させる第１の通水管と、を備える。
（要件３）水排出部は、ホタル収容部に設けられ、かつ、ホタル収容部における所定水面以上のオーバーフロー水を重力によって水槽部へ排出する第２の通水管を備える。
（要件４）水槽部から、水供給部、ホタル収容部、水排出部をこの順に経て、水槽部へ水が循環されるように構成されている。
【００１８】
「ホタル収容部の少なくとも一部が水槽部の内部に位置する」とは、水槽部の内部の空間の一部を、ホタル収容部の少なくとも一部が占めることを意味する。ホタル収容部の全体が水槽部の内部に位置していてもよいし、ホタル収容部の一部が水槽部の内部に位置していてもよい。図１には、ホタル収容部３の一部（下方部）が水槽部２の内部に位置している態様（換言すれば、ホタル収容部３の一部（上方部）が水槽部２の外に位置している態様）が示される。
【００１９】
「ホタル収容部の少なくとも一部が水槽部の上方に位置する」とは、ホタル収容部における水槽部側の底面（ホタル収容部の底面）の少なくとも一部（好ましくは全て）が、水槽部の底面（通常は本発明の飼育装置の接地面）よりも高い位置にあることを意味する。このような構成により、ホタル収容部に設けられた水排出部から排出した水を、重力によって水槽部に流入させることができる。通常、ホタル収容部の底面は、水槽部の底面と略平行である。ホタル収容部の底面と水槽部の底面との距離は、ホタル収容部の高さ、水槽部の高さ、水槽部の水の水位（水面の高さ）、循環させる水の量等に応じて調整できる。ホタル収容部の底面と水槽部の底面との距離は、例えば、１２０〜２００ｍｍであってもよい。なお、水槽部の水の水位は、通常、水槽部の底面よりも高く、かつ、ホタル収容部の底面よりも低い。
【００２０】
ホタル収容部の少なくとも一部を水槽部の内部かつ上方に位置させるため、ホタル収容部を、水槽部の内部に設けられた支持体上に載せたり、水槽部の縁部（開口縁部等）から紐等を用いて係止したりしてもよい。図１〜３では、ホタル収容部３は、水槽部２の内部に設けられた支持体６の上に載せられている。
【００２１】
上記の要件を満たす飼育装置により、以下の工程からなるサイクルを実現でき、本発明の飼育装置内の水を循環させ、飼育装置内の水を清浄な水質に簡便に維持できる。
（工程１）水槽部の水を、水供給部を介してホタル収容部に流入させる。
（工程２）工程１の後、ホタル収容部に流入した水の少なくとも一部を、ホタル収容部に設けられた水排出部から水槽部へ排出させる。
（工程３）工程２の後、工程１同様に、水供給部を介して水槽部の水をホタル収容部に流入させる。
【００２２】
（工程１）
水槽部の水は、水供給部の作用により、ホタル収容部に流入する。水供給部は、水槽部に入れられる水を吸引するポンプ部と、吸引された水を濾過する濾過部と、濾過された水をホタル収容部の内部に流入させる第１の通水管と、を備える。図１では、水供給部５のポンプ（図示していない）で吸引された水槽部２の水が、濾過部５２を介して第１の通水管５１の流出口からホタル収容部３に流入する。
【００２３】
（工程２）
水槽部からホタル収容部に流入した水は、ホタルや、餌である稚貝等の生育に供される。この水は、少なくともその一部が、排泄物やゴミ（食べ残し、死骸、ホタルの脱皮ガラ等）等を含んだ状態で、ホタル収容部に設けられた水排出部から水槽部へ流入する。
【００２４】
ホタル収容部に設けられた水排出部は、ホタル収容部の内部の水面が所定の高さ以上になった場合に、重力の作用により、水槽部に水を流出させる。すなわち、ホタル収容部の水排出部は、ホタル収容部における所定水面以上のオーバーフロー水を水槽部へ排出させる、いわゆるオーバーフロー口としての機能を有する。「ホタル収容部における所定水面」は、水排出部の位置に応じて調整できる。
【００２５】
水排出部から水槽部に排出（オーバーフロー）する水の量は、ホタル収容部の水の水位に対する水排出部の口部の位置や、水排出部の口部の径を調整することで調節できる。例えば、図２に示される、水排出部４に設けられたＬ字型の第２の排出部４１の短辺の水面に対する角度や、水排出部４の空洞部の径等を調整することで調節することができる。
【００２６】
より具体的には、図２において、水排出部４に設けられたＬ字型の第２の排出部４１の短辺を、水面（又はホタル収容部３の底面３１）から離せば（つまり、水排出部４のＬ字型の短辺を水面（又はホタル収容部３の底面３１）に対して垂直に近づければ）、排出する水の量は少なくなる。図２では、水排出部４に設けられたＬ字型の第２の排出部４１の短辺が、ホタル収容部３の底面から離された状態が示される。
【００２７】
図２において、水排出部４に設けられたＬ字型の第２の排出部４１の短辺を、水面（又はホタル収容部３の底面３１）に近づければ（つまり、水排出部４に設けられたＬ字型の第２の排出部４１の短辺を水面（又はホタル収容部３の底面３１）に対して水平に近づければ）、排出する水の量は多くなる。
【００２８】
また、水排出部の空洞部の径が小さくなるように水排出部の口部を調整すれば（例えば、口部を撥水性の素材等で覆う等すれば）、排出する水の量は少なくなる。
【００２９】
（工程３）
ホタル収容部に設けられた水排出部から水槽部へ排出した水は、工程１同様、水供給部の作用により、ホタル収容部に流入する。
【００３０】
工程１〜３を繰り返すことで、水槽部から、水供給部、ホタル収容部、水排出部をこの順に経て、水槽部へ水が循環し、ホタルの飼育装置内において簡便に清浄な水質を維持できる。
【００３１】
＜ホタルの飼育装置の構成＞
本発明の飼育装置の各構成について、以下、図面を適宜参照して詳述する。
【００３２】
（水槽部）
水槽部は、内部に水を入れることができ、かつ、ホタル収容部の少なくとも一部を位置させることができる容器であれば、材料、形状及び大きさ等は特に限定されない。
【００３３】
水槽部の材料は、例えば、樹脂（ポリプロピレン、ポリアクリレート等）、ガラス、セラミック等が挙げられる。
【００３４】
水槽部の大きさは、ホタル収容部の大きさ等に応じて調整でき、例えば、幅（内寸）２００〜６００ｍｍ×奥行（内寸）３００〜４００ｍｍ×高さ（内寸）２００〜３００ｍｍであってもよい。この場合、水槽部中の水の水位は１００〜１８０ｍｍ、ホタル収容部の底面と水槽部の底面との距離は１２０〜２００ｍｍであってもよい。
【００３５】
水槽部の形状は特に限定されず、例えば、直方体、立方体、円柱、楕円柱等であってもよい。設置や扱いのしやすさから、通常、水槽部は平坦な底面を有する（ただし、面の一部に凹凸のある態様は排除されない。）。通常、水槽部の上部（底面の対面）は開放されているが、ホタル収容部の設置を阻害しないように蓋をしてもよい。
【００３６】
水槽部中の水は、ホタルの生育に適していれば特に限定されず、水道水、地下水、河川水、井戸水等であってもよい。水槽部に入れられる水は、脱塩素処理を施された水であることが好ましい。脱塩素処理としては、曝気、加熱、活性炭、脱塩素剤等を用いた方法が挙げられる。
【００３７】
水槽部に入れられる水の量は、例えば、１５〜２５Ｌであってもよい。
【００３８】
水槽部中の水の温度は、１６〜２５℃が好ましい。
【００３９】
（水供給部）
水供給部は、水槽部に入れられる水を吸引するポンプ部と、吸引された水を濾過する濾過部と、濾過された水をホタル収容部の内部に流入させる第１の通水管と、を備える。
【００４０】
本発明の飼育装置内の水は、水供給部の作用により循環させることで清浄な水質を維持できる。
【００４１】
ポンプ部は、水槽部中の水を圧力の作用により水供給部内に吸引する。ポンプ部としては、従来知られたポンプを用いることができる。
【００４２】
水供給部内に吸引された水は濾過部を通過する。濾過部の構成は特に限定されないが、通常、フィルター等を備える。水供給部内に吸引された水が排泄物やゴミを含んでいる場合、水が濾過部を通過する際、フィルター等に排泄物やゴミがトラップされる。そのため、濾過部を通過した水は清浄な水質を有する。
【００４３】
例えば図１に示されるように、濾過部５２を通過した水は、第１の通水管５１の流出口からホタル収容部３内に流入する。
【００４４】
水供給部の構造や位置等は、上記の作用を奏することができれば特に限定されない。水供給部は、通常、濾過部が水槽部内の水と接触するように設置される。例えば図１及び３に示されるように、第１の通水管５１は、濾過部を通過した水を通水できるように、通常、管状である。第１の通水管の径は特に限定されないが、５〜１０ｍｍであってもよい。
【００４５】
水供給部における第１の通水管と、ホタル収容部に設けられた水排出部との位置関係は、上記の作用を奏することができれば特に限定されない。例えば図１〜３に示されるように、水槽部２から水供給部５を介してホタル収容部３に流入した水を、ホタル収容部３内に適切に行き渡らせられるよう、第１の通水管５１と、水排出部４（第２の通水管４１）との位置を適切に離すことが好ましい。
【００４６】
水供給部としては、市販のエアーリフト（例えば、商品名「水作エイトＭ」、水作株式会社製）を用いることができる。
【００４７】
水供給部の数は特に限定されず、ホタル収容部の数と対応した数を使用できる。例えば、図２には、ホタル収容部３及び水供給部５を２つずつ使用した例が示される。
【００４８】
水供給部からホタル収容部に流出する水の量は特に限定されないが、流速５０〜２００ｍｌ／分であってもよい。
【００４９】
（ホタル収容部）
ホタル収容部は、その内部に、水、ホタルやその餌（稚貝等）等を収容でき、かつ、ホタル収容部の少なくとも一部又は全体を水槽部の内部に入れられる大きさである容器であれば、材料、形状及び大きさ等は特に限定されない。また、本発明の飼育装置において、ホタル収容部の数は限定されず、１つであってもよく、２つ以上であってもよい。
【００５０】
ホタル収容部の材料は、例えば、樹脂（ポリプロピレン、ポリアクリレート等）、ガラス、セラミック等が挙げられる。
【００５１】
ホタル収容部の大きさは、例えば、幅（内寸）１４０〜１８０ｍｍ×奥行（内寸）２００〜３００ｍｍ×高さ（内寸）８０〜１２０ｍｍであってもよい。この場合、ホタル収容部に入れるホタルの数は、通常、幼生期初期のホタルならば２００〜４００匹、幼生期後期のホタルならば４０〜６０匹である。ホタル収容部がこのような大きさであると、ホタル（特に、ホタル幼虫）がエネルギーを過度に消費せずに餌を摂取することができる。
【００５２】
ホタル収容部の形状は特に限定されず、例えば、直方体、立方体、円柱、楕円柱等であってもよい。設置や扱いのしやすさから、通常、ホタル収容部は平坦な底面を有する（ただし、面の一部に凹凸のある態様は排除されない。）。
【００５３】
ホタル収容部の上部は、ホタルが逃げないよう、網等の通気性素材で適宜蓋をしてもよい。
【００５４】
ホタル収容部に収容される水は、例えば図１及び２に示されるように、通常、水槽部２から水供給部５を介して流入した水である。
【００５５】
ホタル収容部に収容されるホタルとしては、幼虫期を水中で過ごすホタル（ゲンジボタル、ヘイケボタル等）が好ましく用いられる。ホタルは任意の日齢のものを使用でき、日齢に応じた大きさや量の餌を投入することが好ましい。餌の投入頻度は、通常、１週間に１回程度である。
【００５６】
ホタルの餌としては、カワニナ等の稚貝が好ましく用いられる。
【００５７】
ホタル収容部には、適宜、砂、石、人工水草、円筒形チューブ等を入れてもよい。
【００５８】
ホタル収容部の上部からホタル収容部の内部を覗くことで、容易にホタルの生育状況を観察できる。
【００５９】
［水排出部］
ホタル収容部には水排出部が設けられる。水排出部から水槽部に排出する水の量は、ホタルの生育状況に応じて増減させることが好ましい。
【００６０】
水排出部の位置は特に限定されないが、ホタル収容部における所定水面以上のオーバーフロー水を重力によって水槽部へ排出するために、通常、ホタル収容部の垂直方向の側面（側壁）に設けられる。水排出部は、ホタル収容部の垂直方向の側面の下方（ホタル収容部の底面側）に向けて、ホタル収容部に蓄えられた水が流下するように設けることが好ましい。
【００６１】
水排出部は、ホタル収容部から水槽部へ水を排出させることができればよく、水排出部の大きさ、形状、位置、及び数は特に限定されず、循環させようとする水の量等に応じて調整できる。例えば図２に示されるように、水排出部４は、水供給部５から離して、ホタル収容部３の垂直方向の側面に１つ設けてもよい（なお、図２の水排出部４は、ホタル収容部３とは別体の第２の通水管４１を備える。）。
【００６２】
水排出部の数は、１つであってもよく、２つ以上であってもよい。ホタル収容部から水槽部に流入させる水の量を調整しやすいという観点から、ホタル収容部１つあたりの水排出部の数は１つであることが好ましい。
【００６３】
水排出部は、ホタル収容部における所定水面以上のオーバーフロー水を重力によって水槽部へ排出する第２の通水管を備える。
【００６４】
第２の通水管の断面の形状は、円形、楕円形、正方形、長方形等が挙げられる。
【００６５】
第２の通水管の大きさ（断面の径の長さ）は、通常、ホタル収容部の垂直方向の側面の高さよりも小さい。第２の通水管は、例えば、その断面の径が１０〜１５ｍｍであってもよい。
【００６６】
水排出部は、ホタル収容部の垂直方向の側面（側壁）自体に設けられた開口部（穴）そのものであってもよく、開口部にホタル収容部とは別体の通水管を設けたものであってもよい。前者の場合、開口部が第２の通水管に相当し、後者の場合、ホタル収容部とは別体の通水管が第２の通水管に相当する。なお、後者の場合、第２の通水管は、ホタル収容部の側面に形成された開口部を貫通する。図１〜３には後者の例が示され、水排出部４は、ホタル収容部３とは別体の第２の通水管４１を備える。
【００６７】
第２の通水管がホタル収容部とは別体の通水管である場合、該第２の通水管は、ホタル収容部から水槽部に水を流入させるための通液部でもあるため、通常は、パイプや管等の中空材である。
【００６８】
第２の通水管がホタル収容部とは別体の通水管である場合、ホタル収容部の開口部と、これを貫通する第２の通水管との間に隙間がある場合、例えば図２に示されるように、水排出部４に設けられた第２の通水管４１は、ホタル収容部３の側面に設けられた開口部との間の隙間をパッキング（ゴム板を使用）で封止してもよい。ただし、後述するとおり、第２の通水管は、第２の通水管が貫通する開口部内で回転可能な状態で貫通することが好ましいため、封止は第２の通水管の回転を阻害しないように行うことが好ましい。
【００６９】
第２の通水管がホタル収容部とは別体の通水管である場合、該第２の通水管の大きさは、例えば、断面の径が１０〜１５ｍｍ、長手方向の長さが１０〜２００ｍｍであってもよい。
【００７０】
第２の通水管がホタル収容部とは別体の通水管である場合、該第２の通水管の形状は、扱いや取り付けのしやすさから、ホタル収容部の開口部の形状と、これを貫通する第２の通水管の断面の形状とが同様であることが好ましい。例えば図２に示されるように、第２の通水管４１の断面の形状と、ホタル収容部３の側面に設けられた開口部の形状は、いずれも円形であってもよい。
【００７１】
第２の通水管がホタル収容部とは別体の通水管である場合、該第２の通水管はホタル収容部の側面に形成された開口部を貫通し、かつ、以下の要件を全て満たすことが好ましい。このような第２の通水管を備える水排出部によれば、ホタル収容部から水槽部に排出させる水の量を容易に調整できる。
（要件Ａ）第２の通水管は断面円形のＬ字型の中空材である。
（要件Ｂ）第２の通水管が貫通する開口部は、第２の通水管の断面円形と略同径である。
（要件Ｃ）第２の通水管は、第２の通水管が貫通する開口部内で回転可能な状態で貫通している。
【００７２】
要件Ａにおいて、Ｌ字型を構成する２辺の長さは、同じでもよく、異なっていてもよい。Ｌ字型を構成する２辺の長さが異なる場合、長辺と短辺との長さの比は特に限定されないが１：０．５〜１：５であってもよい。Ｌ字型を構成する２辺の長さが異なる場合、長辺の長さが４０〜２００ｍｍ、短辺の長さが２５〜６０ｍｍであってもよい。Ｌ字型を構成する２辺の長さが同じ場合、辺の長さが４０〜５０ｍｍであってもよい。Ｌ字型の２辺がなす角度は特に限定されないが、通常、６０〜１００度である。
【００７３】
要件Ｃにおいて、「第２の通水管が貫通する開口部内で回転可能な状態」とは、開口部を貫通する第２の通水管を、第２の通水管の長手方向に対して垂直な方向（換言すれば、第２の通水管の断面円形の円周方向）に第２の通水管を動かすことができる状態を意味する。通常、要件Ｂを満たした状態で、第２の通水管を開口部に貫通させることで容易にこの状態を実現できる。また、Ｌ字管を構成する２辺のうち、開口部を貫通していない辺のみを、開口部を貫通している辺に対してねじるように回動しても、この状態を実現できる。
【００７４】
要件Ｃについて、第２の通水管を、Ｌ字型の短辺がホタル収容部の内部に位置し、かつ、Ｌ字型の長辺の最端部（口部）がホタル収容部の外側に露出するように貫通させることが好ましい。このように第２の通水管を配置し、ホタル収容部の底面に対するＬ字型の短辺の角度を調整することで、ホタル収容部の水面の高さを特に容易に調節することができる。
【００７５】
水排出部（第２の通水管）の穴（口部）は、ホタル収容部からホタルが逃げないようにネット等で覆ってもよい。ネット等が目詰まりした場合は、汚れをスポイト等で取り除くか、ネット等を張り替えればよい。
【００７６】
［支持体］
ホタル収容部の少なくとも一部を水槽部の内部かつ上方に位置させるため、ホタル収容部を、水槽部の内部に設けられた支持体上に載せたり、水槽部の縁部（開口縁部等）から紐等を用いて係止したりしてもよい。扱いや取り付けのしやすさから、水槽部の内部に設けられた支持体を用いることが好ましい。
【００７７】
支持体は水槽部内の水に浸かった状態で水槽部の内部に設けられる。そのため、支持体の材料としては、水による影響を受けにくいもの（樹脂、ステンレス等）が好ましい。
【００７８】
支持体の形状や大きさは特に限定されないが、水槽部内で浮き上がらず、ホタル収容部を安定した状態で載せられる重さや形状であることが好ましい。
【００７９】
支持体としては、市販のワイヤーラックを好ましく使用できる。
【００８０】
（その他）
本発明の飼育装置は、ホタルの生育に適した環境に設置される。本発明の飼育装置は、例えば、温度環境が１６〜２５℃である室内に設置することが好ましい。
【００８１】
本発明においては、飼育装置内の水を頻繁に入れ替えなくとも清浄な水質を維持できる。例えば、飼育装置内の水の入れ替えは、１〜３ヶ月に１〜２回程度でもよい。
【００８２】
ホタル収容部内の水は、ピペット等の管を用いるエアレーションにより、溶存酸素濃度を高めてもよい。
【００８３】
本発明の飼育装置は、水槽部やホタル収容部の内部を適宜洗浄し、飼育装置内のゴミ等をスポイトやピンセット等で除いたり、一部又は全ての水を入れ替えたりすることで簡便にメンテナンスができる。
【実施例】
【００８４】
以下に、実施例により本発明をさらに詳しく説明するが、本発明はこれらの実施例に何ら限定されるものではない。
【００８５】
＜ホタルの飼育装置の作製＞
図２に示される構成を有するホタルの飼育装置１を作製した。
【００８６】
具体的には、図２の飼育装置１は、水槽部２（ポリプロピレン製、幅（内寸）４７０ｍｍ×奥行（内寸）３６０ｍｍ×高さ（内寸）２２７ｍｍ）、２つのホタル収容部３（ポリプロピレン製、幅（内寸）１８０ｍｍ×奥行（内寸）２４０ｍｍ×高さ９７ｍｍ）、各ホタル収容部３に設けられた水排出部４、２つの水供給部５（商品名「水作エイトＭ」、水作株式会社製）を備える。
【００８７】
ホタル収容部３を、水槽部２の内部かつ上方に位置させるため、高さ１３２ｍｍの支持体６の上にホタル収容部３を載せた。
【００８８】
図３は、水槽部２を除いた飼育装置１の内部、すなわち、ホタル収容部３、水排出部４、及び水供給部５の位置関係を示した図である。
【００８９】
水排出部４は、ホタル収容部３の垂直方向の側面下方に開けた開口部（直径１３ｍｍ）を貫通したＬ字型の中空材（第２の通水管４１に相当、ポリプロピレン製、短辺の長さ４０ｍｍ、長辺の長さ１４０ｍｍ、空洞部の直径１０ｍｍ）を備える。Ｌ字型の中空材は、その長さ方向の４３ｍｍ分がホタル収容部３の外側に出ている。Ｌ字型の中空材とホタル収容部３の側面に開けた開口部との間の隙間はゴム板を用いるパッキングで封止した。この状態において、第２の通水管４１が開口部内で回転可能であることを確認した。
【００９０】
水槽部２には、水供給部５によって十分循環できる量の水を入れた（本例では、常温の水道水を、水槽部２の水位（水槽部２の底面からの水面の高さ）が約１３０ｍｍとなるように入れた。）。水供給部５の作用により、水槽部２の水は以下のように飼育装置１内を循環した。
まず、水供給部５は、水槽部２の水を、ポンプ（図示していない。）によって水供給部５の内部に吸引した。吸引された水は、水供給部５に内蔵された濾過部５２を通過し、水供給部５の通水管５１（第１の通水管）からホタル収容部３内に流入した（流速約５０〜２００ｍｌ／分）。ホタル収容部３内に流入した水は、水排出部４を介して水槽部２に流出した。水槽部２に流出した水は、水供給部５を介してホタル収容部３内に流入した。以上のサイクルにより、水槽部２の水は飼育装置１内を、清浄な水質を維持しつつ循環した。
【００９１】
ホタル収容部３から水槽部２に流出する水の量は、水排出部４のＬ字型の短辺の、ホタル収容部の底面に対する角度や、水排出部４の空洞部（第２の通水管の口部）の径等を調整することで調節することができた。
【００９２】
＜ホタルの飼育＞
上記の飼育装置１を用い、ホタル収容部３にホタルの幼虫を餌であるカワニナとともに入れて飼育したところ、ホタルが良好に生育した。水を１ヶ月に１度入れ替えることで、より清浄な生育環境を保つことができた。
【符号の説明】
【００９３】
１  ホタルの飼育装置
２  水槽部
３  ホタル収容部
４  水排出部
５  水供給部
６  支持体
【図１】
2020130148.tif 000003
【図２】
2020130148.tif 000004
【図３】
2020130148.tif 000005